(57)【要約】【課題】方法として、試し書きという手法を用いて最適な記録条件を求める場合、セクタ毎に再生結果の判定を行っていたため、高速処理時には処理が間に合わなくなってしまう。【解決手段】セクタ毎に記録条件を徐々に変えて試し書きしたディスクを再生し、再生波形から得られるエラーパルスカウント結果やアナログ・デジタル変換結果を数セクタ分、データメモリに格納する。メモリに格納された結果を読み出すことによって、数セクタ処理後に再生結果をまとめて判定することが出来るので、高速処理に対応するシステムを実現し、マイコンの負担も低減することができる。【選択図】図１
2004171691.tif 000002
【特許請求の範囲】
【請求項１】
データｈ（ｈ：自然数）バイト単位でセクタを構成し、ｉ（ｉ：自然数）セクタ単位でブロックを構成し、該ブロックデータが記録される光ディスクに対して記録再生するために、
データを一時記憶しておく一時記憶手段と、前記光ディスクへの記録データを入力し前記一時記憶手段に書き込む手段と、前記データを特定のフォーマットに準じてエンコードする手段と、前記エンコードされたデータを前記光ディスクへに記録する手段と、適正な記録条件を定めるために記録条件を変えて前記光ディスクに特定のデータを記録する手段と、前記記録条件により記録されたディスクを再生しデータを入力する手段と、前記入力データからＰＬＬ回路を用いて抽出されたクロックと入力再生信号との位相差がしきい値よりも大きいものを検出する手段とを備え、前記検出手段は前記記録データを記憶する前記一時記憶手段に前記位相比較結果を書き込むことを特徴とするディスク記録再生装置。
【請求項２】
請求項１記載のディスク記録再生装置において、前記一時記憶手段は、前記光ディスクへの記録再生データをｊ（ｊ：自然数）ブロック分一時記憶するデータ領域と、位相比較結果を書き込むステータス領域を具備し、それぞれの領域は独立して設けられていることを特徴とするディスク記録再生装置。
【請求項３】
請求項１記載のディスク記録再生装置において、前記一時記憶手段のステータス領域にｋ（ｋ：自然数）セクタ分の前記位相比較結果を書き込むことができることを特徴とするディスク記録再生装置。
【請求項４】
請求項１記載のディスク記録再生装置において、前記一時記憶手段のステータス領域の位相比較結果とは独立した領域にｌ（ｌ：自然数）セクタ分の記録条件を予め記録し、一時記憶手段に記録された記録条件をディスクへデータを書き込む手段へ自動転送する手段を具備し、セクタ毎に自動転送された記録条件でディスクに記録することを特徴とするディスク記録再生装置。
【請求項５】
データｈ（ｈ：自然数）バイト単位でセクタを構成し、ｉ（ｉ：自然数）セクタ単位でブロックを構成し、前記ブロックデータが記録される光ディスクに対して記録再生するために、
データを一時記憶しておく記憶手段と、前記光ディスクに記録するための記録データを入力し前記一時記憶手段に書き込む手段と、特定のフォーマットに準じてエンコードする手段と、前記エンコードされたデータによりディスクに記録する手段と、適正な記録条件を定めるために記録条件を変えて前記光ディスクに特定のデータを記録する手段と、前記記録条件により記録された前記光ディスクを再生しデータを入力する手段と、前記入力アナログデータをデジタルデータに変換する手段とを具備し、前記変換手段は前記記録データを記憶する前記一時記憶手段に前記変換結果を書き込むことを特徴とするディスク記録再生装置。
【請求項６】
請求項５記載のディスク再生装置において、前記一時記憶手段は、ディスクへの記録再生データをｍ（ｍ：自然数）ブロック分一時記憶するデータ領域と、アナログ・デジタル変換結果を書き込むステータス領域を具備し、前記ステータス領域にｎ（ｎ：自然数）セクタ分の変換結果を書き込むことができることを特徴とするディスク記録再生装置。
【請求項７】
光ディスクへの記録するデータを複数ブロック分一時記憶するデータ領域及び試し書き設定条件をステータス領域とを有する一時記憶手段と、前記試し書き設定条件で記録されたデータを再生する手段と、前記再生データから得られたエラーパルス数の検出結果を前記一時記憶装置のステータス領域に記録する手段とを備えることを特徴とするディスク記録再生装置。
【発明の詳細な説明】
【０００１】
【発明の属する技術分野】
本発明は、ディスク等の記録媒体にデータを記録し、ディスクからデータを再生するディスク記録再生装置に関する。
【０００２】
【従来の技術】
従来のディスク記録再生装置の試し書き記録の方法として、１セクタおきに記録パワーを徐々に変化させて記録していた（特許文献１参照）。特定のパターンをセクタ毎に徐々に条件をかえて記録し、ディスクを再生して再生信号からＰＬＬ（Ｐｈａｓｅ  Ｌｏｃｋｅｄ  Ｌｏｏｐ）回路を用いて抽出されたクロックと試し書きデータのエッジパルスを比較する。両者の位相誤差がしきい値よりも大きい場合だけデータエッジパルスがエラーパルスとしてカウントされる。このように、試し書きデータにおけるエラーパルス数を算出し、エラーパルス数が最小になる記録条件を見出す。その際のマイコン処理としては、各セクタ毎に検出されたエラーパルス数を読み出して判定し、これを数セクタ繰り返すことにより行っていた。エラーパルス数の値の読み出しは、マイコンの読み取り用のレジスタなどにより行うため、数値の判定処理は次のセクタの数値が得られるまでの時間内で処理する必要がある。
【０００３】
【特許文献１】
特開２００２−１７０２３４号公報
【０００４】
【発明が解決しようとする課題】
再生処理の高速化が図られるにつれて、１セクタの処理時間は減少し、エラーパルス数の値の判定処理が次セクタの結果値を得るまでの時間に間に合わなくなってしまう。
【０００５】
本発明の目的は、上記の欠点を解決し、マイコンによる各セクタごとのエラーパルス数の判定処理が間に合わない場合でも処理可能なディスクの記録再生技術を提供する。
【０００６】
【課題を解決するための手段】
セクタ毎に検出されたエラーパルス数の検出結果をセクタ毎にメモリに格納する手段を有することで、全記録パラメータに対する再生処理後にまとめて検出結果を判定することができる。また、検出結果の格納に用いるメモリとして記録再生データを格納するデータメモリを使用することで、回路規模の増加を防ぐことができる。
【０００７】
【発明の実施の形態】
以下、本発明の実施の形態について、実施例を用い、図を参照して説明する。
図１は本発明によるディスク記録再生装置の第１の実施例を示すブロック図である。図において、１０１はディスクであり、１０２はディスク１０１のデータの記録／再生を行うピックアップ、１０３はディスク１０１を回転させるスピンドルモータである。１０４はディスクより得られたアナログ再生信号の波形等価処理等のアナログ処理を行うアナログフロントエンド（Ａｎａｌｏｇ  Ｆｌｏｎｔ  Ｅｎｄ：ＡＦＥ）、１０５はデータの２値化及び同期クロック生成を行うリードチャネル（ＲＤ−ＣＨ）である。１０６はドライブ機構におけるサーボ制御処理を行うサーボである。１０７はディスクより読み込まれたデータに復調処理、誤り訂正処理、デスクランブル処理を行うデコード手段、１０８は入力されたデータにスクランブル処理、誤り訂正符号付加、変調処理を施して記録データを生成するエンコード手段、１０９はレーザードライバ（ＬＤＤ）である。１１０はデータを格納するメモリ、１１１はデコード／エンコード等のメモリ１１０へのアクセスを制御するメモリ制御手段である。１１２はリードチャネル１０５から得られる再生信号からエラーパルスを検出してカウントし、メモリ制御手段１１１を介してメモリ１１０に格納するエラーパルスカウント手段である。１１３は、メモリ１１０に予め準備した試し書き設定パラメータを転送する手段である。１１４は外部ホスト（例えばパソコン）、１１５はホスト１１４からの入出力データを扱うインターフェース（Ｉ／Ｆ）であり、１１６はシステムを統括するマイコンである。
【０００８】
以下、図１に示されているディスク記録再生装置の動作について説明する。通常の記録処理は、ホスト１１４からＩ／Ｆ１１５を介して入力されたデータに対して、Ｉ／Ｆ１１５で、ＩＤ付加、スクランブル処理をを施して、メモリ制御手段１１１を介してメモリ１１０に格納される。次に、エンコード手段１０８において誤り訂正符号付加、変調処理を施して、ＬＤＤ１０９、ピックアップ１０２を介してディスク１０１に記録される。また、通常の再生処理は、ディスク１０１より読み込まれ、電気信号に変換された再生信号は、ＡＦＥ１０４、ＲＤ−ＣＨ１０５により波形等価、２値化、クロック生成されて入力される。次に、デコード手段１０７において、ＩＤ検出、復調処理され、メモリ制御手段１１１を介してメモリ１１０に格納される。更に、メモリ１１０に格納された再生データに対して誤り訂正、スクランブルを解いて、Ｉ／Ｆ１１５を介してホスト１１４へ出力される。このように、通常の記録再生処理において、メモリ１１０は、誤り訂正用のメモリ用途や、ホスト１１４からの入出力データの格納に用いるデータバッファ用途としてのデータメモリに用いられる。
【０００９】
通常の記録再生処理において、正常に再生することができるように、記録処理時における適正な記録パワー等を求めるために、試し書き処理が行われる。試し書きの記録処理は、予めメモリ１１０あるいはエンコード手段１０８自体に、特定記録データパターンを準備する。次に、マイコン１１６による試し書き開始指示によりエンコード手段１０８を介して記録データを出力し、セクタ毎に予め定めた記録パワーで、ＬＤＤ１０９及びピックアップ１０２を介してディスク１０１に記録する。この際、試し書きは、通常のユーザーデータの記録領域とは異なる領域であって、ディスクに予め定められたテスト領域に記録するものとする。続いて、試し書きの再生処理として、通常の再生処理と同様に、ディスク１０１より読み出された再生信号は、ＡＦＥ１０４、ＲＤ−ＣＨ１０５により波形等価、２値化、ＰＬＬ回路を用いてクロック生成されて入力される。同時に、ＲＤ−ＣＨ１０５からは２値化データ（再生データ）とＰＬＬクロックがエラーパルスカウント手段１１２へ出力される。再生データ入力に対して、エラーパルスカウント手段１１２において記録マーク及びスペースを検出して、マークを再生した時のエッジパルスとＰＬＬクロックとの位相差がしきい値よりも大きい割合として、エラーパルス数をカウントする。よって、得られたエラーパルス数と該セクタへの記録時の記録パワーとの相関を判定することができる。数セクタに対して記録パワーを徐々に変えて試し書きし、再生してエラーパルス数の最小となる条件を見出すことで、最適な記録条件を求めることができる。
【００１０】
本発明の第１の実施例では、試し書き処理時にも本来データメモリとして用いてたメモリ１１０を使用することができる。メモリ１１０の構成を図２に示す。図２はディスク記録再生装置に使用するメモリの構成を示す模式図である。メモリ１１０内部は通常の記録再生データを格納するデータエリア３０１と、これとは独立してステータス情報等を格納するステータスエリア３０２とから構成される。データエリア３０１には、ディスクより記録再生されるＥＣＣブロック単位のデータを数ブロック（図２ではｎ個）格納でき、リングバッファとして構成することができる
また、ステータスエリア３０２には、試し書き設定パラメータやデータ及びセクタ毎のエラーパルスカウント値等の試し書き結果を格納する。
【００１１】
以下、試し書き記録時のタイミングを図３を用いて説明する。
図３は試し書き記録時のタイミングを示すタイミングチャートである。図において、４０１はセクタ毎に予めメモリ１１０内に格納されている記録設定パラメータが設定転送手段１１３によりメモリ１１０から読み出されるタイミングチャートを示す。メモリ読出しタイミングチャート４０１において、０、１、２、３、…は０セクタ、１セクタ、２セクタ、３セクタの読出し時間を示す。４０２は記録設定パラメータが設定転送手段１１３からセクタ毎にＬＤＤ１０９に自動転送されるタイミングチャートを示す。ＬＤＤ転送タイミングチャート４０２において、０、１、２、は各０セクタ、１セクタ、２セクタの記録設定パラメータがＬＤＤ１０９に転送される時間を示す。４０３は転送パラメータにおける記録パワーを用いてディスク１０１の所定のアドレスに試し書き記録を行うタイミングチャートを示す。試し書き記録にタイミングチャート４０３において、０、１、２は各０セクタ、１セクタ、２セクタの記録時間を示す。４０４は記録ディスク１０１におけるセクタ通過タイミングチャートを示す。ＤＶＤ−ＲＡＭの場合はＰＩＤ部の通過時間内にメモリ１１０に格納されている設定パラメータのＬＤＤ１０９への自動転送を行い、データ部の通過時間では試し書きデータの記録を行う。メモリ１１０からの設定パラメータ読み出しは、ＬＤＤ１０９へのセクタ単位のパラメータ転送直後に、メモリ１１０から読み出して、設定転送手段１１３内で保持するものとする。ただし、ＤＶＤ−Ｒ／ＲＷにおいてはＰＩＤ通過時間のようなデータ不連続区間は存在しないため、設定転送にかかる時間内で通過したデータ部の再生データは判定時には使用しないものとする。４０５はエンコード手段１０８で生成された記録ゲートのタイミングチャートを示している。再生のタイミングは記録処理時と同じタイミングであり、再生ゲート信号は記録ゲート信号と同じ信号となる。ゲート信号が”１”の時のみ入力された再生信号に対してエラーパルスのカウントを行う。上記タイミングにより、数セクタ連続して記録を行う。また、再生処理により得られた再生信号からのエラーパルスカウント結果はメモリ１１０内のステータスエリア３０２に数セクタ分確保したエリアに格納することができる。セクタ毎に得られた結果に対する判定は、次セクタの結果が得られるまでの限られた時間内ではなくて、数セクタ処理後にまとめてメモリ１１０に格納された結果を読み出すことで、数セクタ分まとめて処理することができる。よって、高速処理にも対応することができる試し書き処理システムが実現でき、マイコン処理における時間的制約も軽減でき、マイコン１１６の負担を低減することもできる。また、データメモリ１１０の一部をステータスエリアとして流用しているため、回路規模を低減することができる。
【００１２】
図４は本発明によるディスク記録再生装置の第２の実施例の構成を示すブロック図である。図において、２０１は、サーボ１０６において再生信号の検出結果をアナログ・デジタル（Ａｎａｌｏｇ−Ｄｉｇｉｔａｌ：ＡＤ）変換した値をメモリ１１０に格納するＡＤ変換結果を転送する転送手段である。なお、図１と同じ構成要素には同一の符号を付し、その説明を省略する。
以下、図４に示されるディスク記録再生装置における動作について説明する。試し書き結果から判定する項目として、エラーパルスカウント数に加えて再生信号品位に関するパラメータとしてのβ値（アシンメトリ）の測定結果を用いることができる。β値の測定として、再生信号におけるトップ、ボトム、センターレベル値を得ることで求めることができる。従来、マイコン１１６により再生信号から得られたレベル値をＡＤ変換回路により一定間隔でサンプリングすることでＡＤサンプルデータを取得していた。そのため、マイコン１１６においてＡＤ変換回路を準備する必要が生じ、変換処理によりマイコンにおける負担が増大していた。そこで、試し書き再生時にエラーパルスカウント数に加えて、再生信号のレベル値におけるＡＤ変換結果、即ちβ値をメモリ１１０のステータスエリア３０２に格納する機能を追加する。試し書きの再生処理として、ディスク１０１より読み込まれた再生信号は、ＡＦＥ１０４、ＲＤ−ＣＨ１０５により波形等価、２値化、ＰＬＬを用いてクロック生成されて入力される。同時に、ＲＤ−ＣＨ１０５からは、２値化信号としての再生データ、ＰＬＬクロックがエラーパルスカウント手段１１２へ出力される。再生データ入力に対して、エラーカウント手段１１２において記録マーク及びスペースを検出し、ＰＬＬクロックとの位相差がしきい値よりも大きい割合として、エラーパルス数をカウントし、カウント値をメモリ１１０に格納する。また、ＡＦＥ１０４において再生信号におけるレベル値を検出し、入力されてサーボ１０６によりＡＤ変換され、ＡＤサンプルデータとしてＡＤ変換結果転送手段２０１により、β値をメモリ制御手段１１１を介してメモリ１１０に格納する。本実施例では、サーボ１０６を用いてＡＤ変換しているが、独立して構成することも可能である。エラーパルスカウント結果及びＡＤサンプルデータは、メモリ１１０上のステータスエリア３０１にそれぞれ数セクタ分格納することができる。
よって、設定転送手段１１３からの試し書き設定パラメータにより数セクタ連続して試し書き記録を行い、該当データを再生することで、数セクタのエラーパルスカウント数とＡＤサンプルデータを数セクタ分まとめて取得することができる。得られた結果より判定して、最適な記録パラメータを得ることができる。これにより、高速処理にも対応することができる試し書き処理システムが実現でき、マイコンによりＡＤ変換する必要が無いため負担を低減することができる。
【００１３】
以上説明したように、本発明によれば、試し書き記録したデータの再生信号におけるエラーパルスカウント値やＡＤサンプルデータを数セクタ分、データメモリに格納し、格納されたエラーパルスカウント値やＡＤサンプルデータを数セクタ分まとめて取得することによって、結果を判定し、最適記録条件を見つけるとができる。そのため、高速再生処理時にも対応が可能で、マイコンの負担も低減することができる。
【００１４】
【発明の効果】
以上説明したように、本発明によれば、試し書き記録したデータの再生信号におけるエラーパルスカウント値やＡＤサンプルデータを数セクタ分、データメモリに格納し、これらのデータをまとめて取得することによって、記録結果を得ることができるので、最適記高速再生処理時にも対応が可能で、マイコンの負担も低減することができる。
【図面の簡単な説明】
【図１】本発明によるディスク記録再生装置の第１の実施例を示すブロック図である。
【図２】ディスク記録再生装置に使用するメモリの構成を示す模式図である。
【図３】試し書き記録時のタイミングを示すタイミングチャートである。
【図４】本発明によるディスク記録再生装置の第２の実施例の構成を示すブロック図である。
【符号の説明】
１０１…ディスク、１０２…ピックアップ、１０３…スピンドルモータ、１０４…ＡＦＥ、１０５…ＲＤ−ＣＨ、１０６…サーボ、１０７…デコード手段、１０８…エンコード手段、１０９…ＬＤＤ、１１０…メモリ、１１１…メモリ制御手段、１１２…エラーパルスカウント手段、１１３…設定転送手段、１１４…ホスト、１１５…Ｉ／Ｆ、１１６…マイコン、２０１…ＡＤ変換結果転送手段、３０１…データエリア、３０２…ステータスエリア、４０１…メモリ読み出し時間、４０２…ＬＤＤ転送時間、４０３…試し書き記録時間、４０４…セクタ通過時間、４０５…記録再生ゲート。
【図１】
2004171691.tif 000003
【図２】
2004171691.tif 000004
【図３】
2004171691.tif 000005
【図４】
2004171691.tif 000006